(57)【要約】【課題】本線のＩＦ信号のレベル検知結果でＡＧＣ制御、及びスケルチ回路を動作させることによって、パイロット信号に影響されず、スケルチ動作を安定に制御することが可能な無線伝送システムの実現。【解決手段】本線信号の他に、周波数の高安定化のための補助信号を多重して送信側から受信側に伝送する無線伝送システムにおいて、上記受信側で、受信信号から上記補助信号を除去した信号のレベルに基づき、上記受信信号のＡＧＣ回路とスケルチ回路の少なくとも１つを制御する構成とした無線伝送システムである。【選択図】  図１
2008167112.tif 000002
【特許請求の範囲】
【請求項１】
本線信号の他に、周波数の高安定化のための補助信号を多重して送信側から受信側に伝送する無線伝送システムにおいて、上記受信側で、受信信号から上記補助信号を除去した信号のレベルに基づき、上記受信信号のＡＧＣ回路とスケルチ回路の少なくとも１つを制御する構成としたことを特徴とする無線伝送システム。
【請求項２】
請求項１の無線伝送システムにおいて、ＩＦ伝送方式ＳＴＬ／ＴＴＬ装置（以下、ＩＦ−ＴＴＬと称す）に適用するもので、上記本線信号はＩＦ信号、上記補助信号はパイロット信号であり、該パイロット信号をノッチフィルタにより除去し、上記パイロット信号を除去した信号のレベルに基づき、上記受信信号のＡＧＣ回路とスケルチ回路の少なくとも１つを制御する構成としたことを特徴とする無線伝送システム。
【発明の詳細な説明】
【技術分野】
【０００１】
本発明は、地上デジタル放送波などを伝送する無線伝送システムに係り、特にパイロット信号を多重して伝送し、受信側でパイロット信号に受信ローカル周波数を同期させる無線伝送システムに関するものである。
【背景技術】
【０００２】
近年、地上波放送のデジタル化に伴い、デジタル無線伝送装置が用いられるようになっている。
地上デジタル放送の伝送システムにおいて、親局送信所から中継送信所への伝送で用いられるＩＦ−ＴＴＬ(Intermediate Frequency−Transmitter Transmitter Link)では、その標準仕様は、電波産業会ＡＲＩＢ ＳＴＤ−Ｂ２２により規定されている。
その中で、放送信号などの本線信号の他に、周波数の高安定化のための補助信号、例えば、パイロット信号を多重して伝送する方式があり、その一例を図２に示す。
まず、本線のＩＦ信号にパイロット発振器１のパイロット信号を加算し、送信ミキサ２に出力する。ＩＦ信号の有無によらずパイロット信号は常時出力されている。
送信ミキサ２は、ＩＦ信号とパイロット信号を、送信ローカル発振器３のローカル信号によってアップコンバート処理し、受信ミキサ４へ無線伝送する。
受信ミキサ４は、受信信号を受信ローカル発振器５のローカル信号によってダウンコンバートし、ＡＧＣ回路６に出力する。ＡＧＣ回路６の出力信号はスケルチ回路９と検波回路７に入力される。
検波回路７は、ＩＦ信号とパイロット信号が加算された信号を検波し、信号レベルを検出し、スケルチ回路９とＡＧＣ回路６に出力する。
【非特許文献１】「地上デジタルテレビジョン放送用デジタルＳＴＬ／ＴＴＬ伝送方式」、ＡＲＩＢ ＳＴＤ−Ｂ２２  社団法人  電波産業会
【発明の開示】
【発明が解決しようとする課題】
【０００３】
従来の技術では、ＩＦ信号がなくなった場合でも、パイロット信号が常時出力されているため、検波回路７で受信したパイロット信号を検出することになり、ＡＧＣ回路６、スケルチ回路９が不安定になり出力レベルが変動して、不要な雑音を出力してしまう。
本発明はこれらの欠点を除去し、本線のＩＦ信号のレベル検知結果でＡＧＣ制御、及びスケルチ回路を動作させることによって、パイロット信号に影響されず、スケルチ動作を安定に制御することが可能な無線伝送システムの実現を目的とする。
【課題を解決するための手段】
【０００４】
本発明は上記目的を達成するため、本線信号の他に、周波数の高安定化のための補助信号を多重して送信側から受信側に伝送する無線伝送システムにおいて、上記受信側で、受信信号から上記補助信号を除去した信号のレベルに基づき、上記受信信号のＡＧＣ回路とスケルチ回路の少なくとも１つを制御する構成とした無線伝送システムである。
また、本線信号の他に、周波数の高安定化のための補助信号を多重して送信側から受信側に伝送する無線伝送システムにおいて、ＩＦ伝送方式ＳＴＬ／ＴＴＬ装置(以下、ＩＦ−ＴＴＬと称す)に適用するもので、上記本線信号はＩＦ信号、上記補助信号はパイロット信号であり、該パイロット信号をノッチフィルタにより除去し、上記パイロット信号を除去した信号のレベルに基づき、上記受信信号のＡＧＣ回路とスケルチ回路の少なくとも１つを制御する構成とした無線伝送システムである。
【発明の効果】
【０００５】
本発明によれば、パイトット信号を抜き取り、本線のＩＦ信号のレベル検知結果によりＡＧＣ制御、及びスケルチ回路を動作させることによって、パイロット信号に影響されず、スケルチ動作を安定に制御することが可能となる。
【発明を実施するための最良の形態】
【０００６】
以下、本発明の一実施例の構成を、図１のブロック図を用いて詳細に説明する。図１において、１はパイロット信号を出力するパイロット発振器、２はパイロット信号が加算された本線のＩＦ信号を送信ローカル発振器３のローカル信号によってアップコンバート処理する送信ミキサ、１１は受信信号を受信ローカル発振器１２のローカル信号によってダウンコンバート処理する受信ミキサ、１３はＡＧＣ回路、１４はパイロット信号が加算されたＩＦ信号からパイロット信号を抜き取るノッチフィルタ、１５はパイロット信号が抜き取られたＩＦ信号の信号レベルを検出する検波回路、１７はスケルチ回路である。
図１に示す本発明では、図２の従来技術にノッチフィルタ１４を追加した構成となっている。
【０００７】
本発明においては、本線のＩＦ信号にパイロット発振器１のパイロット信号を加算し、送信ミキサ２に出力する。  送信ミキサ２は、ＩＦ信号とパイロット信号を、送信ローカル発振器３のローカル信号によってアップコンバート処理し、受信ミキサ１１へ無線伝送する。
受信ミキサ１１は、受信信号を受信ローカル発振器１２のローカル信号によってダウンコンバートし、ＡＧＣ回路１３に出力する。ＡＧＣ回路１３の出力信号は、スケルチ回路１７とノッチフィルタ１４に入力される。
ノッチフィルタ１４は、パイロット信号が加算されたＩＦ信号からパイロット信号を抜き取り、ＩＦ信号のみを検波回路１５に出力する。
検波回路１５は、パイロット信号が抜き取られたＩＦ信号の信号レベルを検出し、その検出結果をスケルチ回路１７とＡＧＣ回路１３に出力する。
このような構成とすることにより、パイロット信号が常時出力されていても、ノッチフィルタ１４でパイロット信号が抜き取られ、検波回路１５にパイロット信号が出力されることはない。
その結果、ＩＦ信号がなくなった場合には、検波回路１５は信号レベルを検出しないため、従来技術のように、受信したパイロット信号の信号レベルで、ＡＧＣ回路１３、スケルチ回路１７を制御してしまい、出力レベルが変動して、不要な雑音を出力してしまうというようなことは発生しない。
即ち、本発明は、本線のＩＦ信号のレベル検知結果でＡＧＣ制御、及びスケルチ回路を動作させるものであるため、パイロット信号に影響されず、スケルチ動作を安定に制御することが可能な無線伝送システムが実現できる。
【図面の簡単な説明】
【０００８】
【図１】本発明の無線伝送システムの受信スケルチ回路の一実施例を示すブロック図
【図２】従来の無線伝送システムの一例を示すブロック図
【符号の説明】
【０００９】
１：パイロット発振器、２：送信ミキサ、３：送信ローカル発振器、１１：受信ミキサ、１２：受信ローカル発振器、１３：ＡＧＣ回路、１４：ノッチフィルタ、１５：検波回路、１７：スケルチ回路。
【図１】
2008167112.tif 000003
【図２】
2008167112.tif 000004